(57)【要約】      （修正有）【課題】引きこもりの人が、自分の好きなタイミングで容易にコメントの発信や取り下げを行うことが可能となるドアプレートを有するドアプレート集合体を提供する。【解決手段】プレートが目打ちにより複数の領域に分割されており、分割された領域は各領域が切り離されることで夫々ドアノブに対して掛けることが可能な引掛け部２を有するドアプレートを構成し、ドアプレートの一部にはテンプレートが記載されていることを特徴とするドアプレート集合体１である。【選択図】図１
0003208177.tif 000002
【実用新案登録請求の範囲】
【請求項１】
プレートが目打ちにより複数の領域に分割されており、分割された領域は各領域が切り離されることで夫々ドアノブに対して掛けることが可能な引掛け部を有するドアプレートを構成し、前記ドアプレートの一部にはテンプレートが記載されていることを特徴とするドアプレート集合体。
【請求項２】
前記テンプレートは、文章表現における文末部を示す文字であることを特徴とする請求項１に記載のドアプレート集合体。
【請求項３】
前記テンプレートは、複数の図柄により構成されていることを特徴とする請求項１に記載のドアプレート集合体。
【請求項４】
前記引掛け部は、前記引掛け部を構成する面に至る目打ちにより破断可能に構成されていることを特徴とする請求項１乃至３のいずれか１項に記載のドアプレート集合体。
【請求項５】
前記テンプレートは、前記ドアプレートの両面に記載されていることを特徴とする請求項１乃至４のいずれか１項に記載のドアプレート集合体。
【請求項６】
プレートが折り目により複数の領域に分割されており、分割された領域は各領域が切り離されることで夫々ドアノブに対して掛けることが可能な引掛け部を有するドアプレートを構成し、前記ドアプレートの一部にはテンプレートが記載されていることを特徴とするドアプレート集合体。
【請求項７】
ドアノブに対して掛けることが可能な引掛け部を有するドアプレートの集合体であって、前記ドアプレートの一部にはテンプレートが記載されており、複数の前記ドアプレートの積層される方向に垂直な１側面で接合されていることを特徴とするドアプレート集合体。
【請求項８】
ドアノブに対して掛けることが可能な引掛け部を有するドアプレートの集合体であって、前記ドアプレートの一部にはテンプレートが記載されており、前記ドアプレートが複数接合されていることを特徴とするドアプレート集合体。
【考案の詳細な説明】
【技術分野】
【０００１】
本考案は、引きこもりの子供等とのコミュニケーションツールとして用いることが可能なドアプレート集合体に関する。
【背景技術】
【０００２】
日本国内において、「仕事や学校に行かず、かつ家族以外の人との交流をほとんどせずに、６か月以上続けて自宅にひきこもっている状態」（厚生労働省ＨＰより引用）という所謂引きこもりの人が増加している。
【０００３】
さらに、家族との交流も希薄となり、孤立を深めて引きこもりの状態を悪化させてしまうこともある。
【０００４】
そこで特許文献１では、ネットワークを介する端末装置を用いて、引きこもりの人等とのコミュニケーションを支援する方法等が提案されている。当該方法では、コミュニケーションにおける会話文を候補として表示させ、それを、引きこもりの人や、応答者が候補となった会話文を選択することにより、容易なコミュニケーションを図ることができるように支援することができる。
【先行技術文献】
【特許文献】
【０００５】
【特許文献１】特開２０１１−１６５０１８号公報
【考案の概要】
【考案が解決しようとする課題】
【０００６】
しかしながら、引きこもりの人が、ネットワークを介して相手とのコミュニケーションを行うことで、一度発信してしまった会話文を取り下げることがしにくい等、会話文の発信に対して精神的なプレッシャーを感じ、コミュニケーションを避けてしまう場合もある。
【０００７】
また、ネットワークを介した文字情報によるコミュニケーションでは、家族などが、引きこもりの人の、微妙な感情のニュアンスを理解しにくい場合もある。
【０００８】
そのため、本考案では、引きこもりの人が、自分の好きなタイミングで容易にコメントの発信や取り下げを行うことが可能となるドアプレートを有するドアプレート集合体を提供することを目的とする。
【課題を解決するための手段】
【０００９】
第１の態様は、プレートが目打ちにより複数の領域に分割されており、分割された領域は各領域が切り離されることで夫々ドアノブに対して掛けることが可能な引掛け部を有するドアプレートを構成し、ドアプレートの一部にはテンプレートが記載されているドアプレート集合体である。
【００１０】
また、第２の態様は、第１の態様において、テンプレートは、文章表現における文末部を示す文字であるドアプレート集合体である。
【００１１】
また、第３の態様は、第１の態様において、テンプレートは、複数の図柄により構成されているドアプレート集合体である。
【００１２】
また、第４の態様は、第１又は第３の態様において、引掛け部は、前記引掛け部を構成する面に至る目打ちにより破断可能に構成されているドアプレート集合体である。
【００１３】
また、第５の態様は、第１から第４のいずれかの態様において、テンプレートは、ドアプレートの両面に記載されているドアプレート集合体である。
【００１４】
また、第６の態様は、プレートが折り目により複数の領域に分割されており、分割された領域は各領域が切り離されることで夫々ドアノブに対して掛けることが可能な引掛け部を有するドアプレートを構成し、ドアプレートの一部にはテンプレートが記載されているドアプレート集合体である。
【００１５】
また、第７の態様は、ドアノブに対して掛けることが可能な引掛け部を有するドアプレートの集合体であって、ドアプレートの一部にはテンプレートが記載されており、複数のドアプレートの積層される方向に垂直な１側面で接合されているドアプレート集合体である。
【００１６】
また、第８の態様は、ドアノブに対して掛けることが可能な引掛け部を有するドアプレートの集合体であって、ドアプレートの一部にはテンプレートが記載されており、ドアプレートが複数接合されているドアプレート集合体である。
【考案の効果】
【００１７】
上述のドアプレート集合体によれば、引きこもりの人が、自分の好きなタイミングで容易にコメントの発信や引き上げを行うことが可能となる。
【図面の簡単な説明】
【００１８】
【図１】第１の実施形態に係るドアプレート集合体を示す正面図と斜視図である。
【図２】第１の実施形態に係るドアプレート集合体を開いた状態を示す正面図及び背面図である。
【図３】第１の実施形態に係るドアプレート集合体を開いた状態を示す斜視図である。
【図４】第１の実施形態に係るドアプレートを示す正面図である。
【図５】第１の実施形態に係るドアプレートをドアに掛けた状態を示す正面図である。
【図６】第１の実施形態に係るドアプレートをドアに掛けた状態を示す正面図である。
【図７】第２の実施形態に係るドアプレート集合体を示す正面図と斜視図である。
【図８】第２の実施形態に係るドアプレート集合体を開いた状態を示す正面図及び背面図である。
【図９】第２の実施形態に係るドアプレート集合体を開いた状態を示す斜視図である。
【図１０】第３の実施形態に係るドアプレート集合体を開いた状態を示す正面図及び背面図である。
【図１１】第４の実施形態に係るドアプレート集合体を開いた状態を示す正面図及び背面図である。
【図１２】第５の実施形態に係るドアプレート集合体を開いた状態を示すで斜視図ある。
【図１３】その他の実施形態に係るドアプレート集合体を示す正面図である。
【図１４】その他の実施形態に係るドアプレート集合体を示す正面図である。
【考案を実施するための形態】
【００１９】
以下、本実施形態について説明する。なお、以下に説明する本実施形態は、実用新案登録請求の範囲に記載された本考案の内容を不当に限定するものではない。また本実施形態で説明される構成の全てが、本考案の必須構成要件であるとは限らない。
【００２０】
（第１の実施形態）
図１を用いて本実施形態におけるドアプレート集合体１について説明する。図１（ａ）はドアプレート集合体１を正面から見た図であり、図１（ｂ）はドアプレート集合体１を斜めから見た斜視図である。
【００２１】
ドアプレート集合体１は、後述するドアプレート８を９枚積層したものである。積層される各ドアプレート８は、それぞれ縦２８０ｍｍ横１００ｍｍの厚紙のプレート（板状体）からなる同じ形状であり、各ドアプレート８の表面側に印刷される記載が異なる。各ドアプレート８は、ドアノブにドアプレート８を引掛けるための引掛け部２を有する。ドアプレート集合体１としても、引掛け部２が構成される。
【００２２】
図２は、ドアプレート集合体１を平面に展開した図であり、図２（ａ）は表面側を示し、図２（ｂ）は裏面側を示す。ドアプレート集合体１は、９枚のドアプレート８ａから８ｉが、分割部７を介して接続されている。分割部７は、例えばミシン目等の目打ちが施されており、分割部７を、ハサミなどを用いることなく手だけで破断することにより、各ドアプレート８を分離することができる。
【００２３】
各ドアプレート８は、ドアノブへ引掛けるための引掛け部２が構成されている。引掛け部２は、ドアプレート８の板部に直径４０ｍｍの円形の穴を開けることで構成されている。破断部３は、各ドアプレート８の板部に例えばミシン目等の目打ちにより構成され、分割後の各ドアプレート８の外縁から引掛け部２の間に配置される。ドアプレート８は、破断部３を破断することにより、破断部３にスリットを形成することができる。破断誘導部４は、破断部３に隣接する略三角形状の領域であり、各ドアプレート８の板を打ち抜いて形成されている。破断部３は、ミシン目等からなる目打ちがされており、また、破断誘導部４が破断の起点となるため、ハサミなどを用いることなく手だけでスリットを形成することができる。破断部３は、向きが一方向に揃っているため、破断部３と分割部７の目打ちを金型等で打ち抜いて作るような場合に、ドアプレート８の単位で打ち抜きの金型を製作し、それを繰り返し使用することで金型の個数を減らし、製造コストを削減することができる。
【００２４】
ドアプレート８ａは、ドアプレート集合体１の表紙となるドアプレート８であり、図２（ａ）で示す表面側には、ドアプレート集合体１を販売する際における本考案に係る商品の名称等が印刷により記載されている。ドアプレート８ａは、図２（ｂ）で示す裏面側には、ドアプレート集合体１を引きこもりの人へ提供する際の使用方法が記載されている。そのため、家族等は、ドアプレート集合体１を引きこもりの人へ提供する場合に、ドアプレート８ａを分離し、それ以外の部分を提供する。家族等は、ドアプレート８ａを分離したドアプレート集合体１を、引きこもりの人へドアの下の隙間から差し入れる等の方法により提供することができる。
【００２５】
ドアプレート８ｂは、図２（ｂ）で示す裏面側に、ドアプレート集合体１が提供された引きこもりの人に対してのドアプレート集合体１の説明が、印刷により記載されている。
【００２６】
図２（ａ）で示すドアプレート８ｂからドアプレート８ｉの表面側、および図２（ｂ）で示すドアプレート８ｃからドアプレート８ｉの裏面側には、引きこもりの人が自由に書き込みをできる領域を示す枠線が印刷により表示され、記入部５が形成されている。さらに、図２（ａ）で示すドアプレート８ｂからドアプレート８ｉの表面側、および図２（ｂ）で示すドアプレート８ｆからドアプレート８ｉの裏面側には、記入部５に隣接する領域に、テンプレート部が形成されている。テンプレート部は、各ドアプレート８に、文章表現における文末部を示す文字がテンプレートとして記載されている。例えば、「ありがとう」、「が好き」「の時はごめんね」「をください」等の文章の文末部を示す文字である。各ドアプレート８は、引きこもりの人は、まず、各テンプレートを見て、今の気持ちを表現するに適したテンプレートが記載されたドアプレート８を選択し、その記入部５にペンや鉛筆等を用いて自由に言葉等の記入を行うことができる。たとえば、「が好き」を選択し、記入部５には「カレー」と書くことで、「カレーが好き」という意思を表現することができる。ドアプレート８を選択した時点で記入部５に言葉等を記入し、その後、記入をしたドアプレート８を分離しても良いし、ドアプレート８を分離してから、記入部５に言葉等を記入しても構わない。ドアプレート８ｃからドアプレート８ｅの裏面側は、テンプレートは記載されておらず、引きこもりの人が文末部を示す文字にとらわれず、自由な記載をすることができる。
【００２７】
テンプレートとして記載する文字は、ポジティブな文末部を示す文字ばかり並べると「矯正させられる」と抵抗感を誘発する恐れがある。そのため、誘導しすぎない、寄り添いすぎない、しかし、本人が共感、受容する言葉で構成する。
【００２８】
ドアプレート集合体１における各ドアプレート８に記載されたテンプレートの配置の順番は、以下のようにしても良い。（i）欲求や要求を示す文字（例えば「したい！」「と話したい」「に会いたい」）から始める。次に(ii)昔自分をいじめた人間等を少し責めるような文字（例えば「はどう思っているかな」、「と本当は思っていたよ」）で相手の気持ちを支持する表現。(iii)何かを行動したくなったり、出かけたくなったり、気分よく素直な感情を吐露することを想定し、軟化した表現の文字（例えば「うれしかった」、「おいしかった」）。そして、(iv)テンプレートを記載せず自由に書けるドアプレート８を配置する。ドアプレート集合体１の配置の順を工夫することによって、引きこもりの人の気持ちの変化に対応させることができる。
【００２９】
図３は、ドアプレート集合体１を広げた形態を示す斜視図である。ドアプレート集合体１は、各ドアプレート８の間の分割部７を山折り、谷折りとすることで、蛇腹状に折りたたみ、図１で示すドアプレート集合体１の状態として、販売することができる形態となる。
【００３０】
図４は、ドアプレート集合体１からドアプレート８のうちの1枚を選び、分離した状態を示す正面図である。引きこもりの人は、ドアプレート集合体１から、自分の気持ちにあったテンプレートが記載されたドアプレート８を選択し、その記入部５に自分の思ったことを記入することができる。
【００３１】
図５は、ドアプレート８をドア１０１のドアノブ１０２に掛けた状態を示す。図５のドアノブ１０２は、レバーハンドルタイプであり、ドアプレート８の破断部３を破断させることなく、ドアノブ１０２に引掛け部２を通すことができる。そのことにより、引きこもりの人は、ドア１０１に記入したドアプレート８を掛けることができ、家族等への意思表示をすることができる。また、気持ちが変わったときには、すぐにドアプレート８を取り外し回収することができる。
【００３２】
図６は、ドアプレート８をドア１０１のドアノブ１０２に掛けた状態を示す。図５のドアノブ１０２と異なり、図６のドアノブ１０２は、円形タイプである。円形タイプのドアノブ１０２の最大径が４０ｍｍよりも大きい場合、ドアノブ１０２に引掛け部２を通すことができない。そのため、引きこもりの人は、破断部３を破断し、スリットを形成することで、スリットを通してドアノブの軸部に引掛け部２を通すことができる。そのことにより、引きこもりの人は、ドア１０１に記入したドアプレート８を掛けることができ、家族等への意思表示をすることができる。また、気持ちが変わったときには、すぐにドアプレート８を取り外し回収することができる。
【００３３】
以上、説明してきたドアプレート集合体１により、ドアプレート集合体１から分離したドアプレート８を用いて家族等と引きこもりの人とのコミュニケーションを図ることができる。各ドアプレート８にはテンプレートが記載されているため、ひきこもりの人は、テンプレートを選択することで、大まかな今の気持ちを選択し、それに合う言葉等を記入部５に書き込むことで、言葉を選ぶハードルを下げることができる。また、ひきこもりの人が自分の手で言葉等を記入することで、それを見た家族等は、その文字や、書き方から気持ちの変化を推察する材料とすることができる。ドアプレート８は、容易に掛け外しが可能であるため、気持ちに変化があった場合には、すぐにドアプレート８を取り外すことができる。そのため、引きこもりの人は、気持ちの揺れが大きい場合でも発信した情報の取り下げが困難なネットワーク等を介したコミュニケーションに比較して、気軽に意思を表現、発信することができる。また、ドアプレート８をドアノブに掛けるために、ドアに近づき、ドアを開ける、さらにドアプレート８を家族等が見たかどうかを意識するために、自分の部屋の外に気持ちを向けるきっかけとすることができる。
【００３４】
本実施形態では、分割部７に目打ちを施したが、目打ちをせずにハサミを用いて分割部７を切断により分割し、各ドアプレート８を分離しても構わない。
【００３５】
（第２の実施形態）
図７を用いて第２の実施形態におけるドアプレート集合体１について説明する。図７（ａ）はドアプレート集合体１を正面から見た図であり、図７（ｂ）はドアプレート集合体１を斜めから見た斜視図である。
【００３６】
ドアプレート集合体１は、後述するドアプレート８を９枚積層したものである。積層される各ドアプレート８は、それぞれ縦２８０ｍｍ横１００ｍｍの厚紙のプレート（板状態）からなる同じ形状であり、各ドアプレート８の表面側に印刷される記載内容が異なる。各ドアプレート８は、ドアノブにドアプレート８を引掛けるための引掛け部２を有する。ドアプレート集合体１としても、引掛け部２が構成される。各ドアプレート８に構成される破断部３は引掛け部２から、紙面に対して左側に向かって揃えて構成されている。
【００３７】
図８は、ドアプレート集合体１を平面に展開した図であり、図８（ａ）は表面側を示し、図８（ｂ）は裏面側を示す。ドアプレート集合体１は、９枚のドアプレート８ａから８ｉが、分割部７を介して接続されている。分割部７は、例えばミシン目等の目打ちが施されており、分割部７を、ハサミなどを用いることなく手だけで破断することにより、各ドアプレート８を分離することができる。
【００３８】
各ドアプレート８は、ドアノブへ引掛けるための引掛け部２が構成されている。引掛け部２は、ドアプレート８の板部に直径４０ｍｍの円形の穴を開けることで構成されている。破断部３は、各ドアプレート８の板部に例えばミシン目等の目打ちにより構成され、分離後の各ドアプレート８の外縁から引掛け部２の間に配置される。ドアプレート８は、破断部３を破断することにより、破断部３にスリットを形成することができる。破断誘導部４は、破断部３に隣接する略三角形状の領域であり、各ドアプレート８のプレートを打ち抜いて形成されている。破断部３は、目打ちがされており、また、破断誘導部４が破断の起点となるため、ハサミなどを用いることなく手だけでスリットを形成することができる。破断部３は隣接するドアプレート８毎に対向するように形成されている。
【００３９】
図９、ドアプレート集合体１を開いた形態を示す斜視図である。ドアプレート集合体１は、各ドアプレート８の間の分割部７を山折り、谷折りとすることで、蛇腹状に折りたたみ、図７で示すドアプレート集合体１の状態として、販売することができる形態となる。その際、破断部３は、谷折り側に配置されることになり、ドアプレート集合体１として一方向に揃って配置される。その構成により、ドアプレート集合体１の状態で破断部３を破断させることができる。
【００４０】
このような構成により、径の大きい円形タイプのドアノブに対して、ドアプレート集合体１の状態で掛けることが可能となる。そのため、家族等が引きこもりの人にドアプレート集合体１を提供する際に、ドアノブに掛けた状態とすることがでる。引きこもりの人がトイレに出た際等に、ドアノブに掛けられたドアプレート集合体１に気付かせることができる。
【００４１】
破断部３は、ドアプレート集合体１の販売状態で既に破断させておいても構わない。
【００４２】
（第３の実施形態）
図１０を用いて第３の実施形態におけるドアプレート集合体１について説明する。図１０は、ドアプレート集合体１を平面に展開した図であり、図１０（ａ）は表面側を示し、図１０（ｂ）は裏面側を示す。ドアプレート集合体１は、９枚のドアプレート８ａから８ｉが、分割部７を介して接続されている。分割部７は、例えばミシン目等の目打ちが施されており、分割部７を、ハサミなどを用いることなく手だけで破断することにより、各ドアプレート８を分離することができる。
【００４３】
各ドアプレート８は、ドアノブへ引掛けるための引掛け部２が構成されている。引掛け部２は、ドアプレート８の板部に直径４０ｍｍの円形の穴を開け、また円形の穴から各ドアプレート８の外縁に向かって、切り欠き部１０が構成されている。切り欠き部１０は隣接するドアプレート８毎に対向するように形成されている。
【００４４】
このような構成により、径の大きい円形タイプのドアノブに対して、ドアプレート集合体１の状態で掛ける場合でも、ドアプレート集合体１をまげて引掛け部２を広げることなく、ドアプレート集合体１を容易にドアノブに掛けることができる。また、各ドアプレート８に分離した後においても、ドアプレート８をまげて引掛け部２を広げることなく、ドアプレート８を容易にドアノブに掛けることができる。
【００４５】
（第４の実施形態）
図１１を用いて本実施形態におけるドアプレート集合体１について説明する。図１１は、ドアプレート集合体１を平面に展開した図であり、図１１（ａ）は表面側を示し、図１１（ｂ）は裏面側を示す。ドアプレート集合体１は、９枚のドアプレート８ａから８ｉが、分割部７を介して接続されている。ドアプレート集合体１の全体の構造としては、第１の実施形態と同じであり、異なるのは印刷されている内容である。そのため、印刷に関わる部分、主に第１の実施形態と異なる部分について説明する。
【００４６】
ドアプレート８ａは、ドアプレート集合体１の表紙となるドアプレート８であり、図１１（ａ）で示す表面側には、ドアプレート集合体１を販売する際における本考案に係る商品の名称等が印刷されている。ドアプレート８ａは、図１１（ｂ）で示す裏面側には、ドアプレート集合体１を引きこもりの人へ提供する際の使用方法が記載されている。そのため、家族等は、ドアプレート集合体１を引きこもりの人へ提供する場合に、ドアプレート８ａを分離し、それ以外の部分を提供する。家族等は、ドアプレート８ａを分離したドアプレート集合体１を、引きこもりの人へドアの下の隙間から差し入れる等の方法により提供することができる。
【００４７】
ドアプレート８ｂは、図１１（ｂ）で示す裏面側に、ドアプレート集合体１が提供された引きこもりの人に対しての、ドアプレート集合体１の説明が、印刷されている。
【００４８】
図１１（ａ）で示すドアプレート８ｂからドアプレート８ｉの表面側、および図１１（ｂ）で示すドアプレート８ｃからドアプレート８ｉの裏面側には、図柄からなるテンプレートが印刷されたテンプレート部が形成されている。例えば、図１１（ａ）で示すドアプレート８ｂには、感情の表現を表す図柄のフェイスマークが５つ印刷されている。気分が良いときは、にっこりと笑った表情のフェイスマークに、ペンなどを用いて丸をつけるなどをすることにより、今の気持ちを表現することができる。気分が悲しいときには、悲しい表情のフェイスマークに丸をつけて、気持ちを表現する。同様に、他のフェイスマークを選択することで、その時の微妙な気持ちの状態を、文字を書くことなく表現することができる。
【００４９】
また、図１１（ａ）で示すドアプレート８ｅのように、例えば、ごはんやシャワーなどの図柄が描かれており、ごはんを食べたいときに、ごはんの図柄に丸をつけることで、意思表示をすることができる。
【００５０】
以上、説明してきたドアプレート集合体１により、ドアプレート集合体１から分離したドアプレート８を用いて家族等と引きこもりの人とのコミュニケーションを図ることができる。各ドアプレート８には図柄からなるテンプレートが記載されているため、ひきこもりの人は、任意のドアプレートを選択し、さらにテンプレート図柄を選択することで、文字を書くことなく、今の気持ちを表現することができる。そのため、文字を書くことに抵抗のある人であっても、感情表現を行うハードルを下げることができる。
【００５１】
（第５の実施形態）
以上、第１から第４の実施形態では、ドアプレート集合体１を平面の台紙などから打ち抜いて構成することを想定しているが、各ドアプレート８を束ねて構成しても構わない。図１２は第５の実施形態に係るドアプレート集合体１を開いた状態を示す斜視図である。ドアプレート集合体１は、９枚のドアプレート８が、背貼り部９によりドアプレート８の積層方向に垂直な方向の一側面に接着により接合されることにより束ねられている。背貼り部９は、そこに接着されているドアプレート８に力をかけて引っ張ることによりドアプレート集合体１からドアプレート８を分離させることができる程度の接着力で構成されている。そのため、ドアプレート集合体１を引きこもりの人へ提供するための使用方法が記載されているドアプレート８の表紙等を簡単に分離させたり、引きこもりの人が、選択したドアプレート８を使用する際に簡単に分離させることができる。
【００５２】
本実施の形態では、背貼り部９は、ドアプレート８を構成する長辺側に配置したが、ドアプレート８を構成する短辺側に配置をしても構わない。
【００５３】
（その他の実施形態）
以上、本考案のいくつかの実施形態を説明したが、これらの実施形態は、例として提示したものであり、考案の範囲を限定することは意図していない。引掛け部２の形状は、図１３で示すように四角形状でも構わない。また図１４で示すように、三角形状でも構わない。他にもドアノブに掛けることができれば、その形状は問わない。
【００５４】
また、ドアプレート集合体１を構成するドアプレート８の枚数は任意に設定することができる。さらに、ドアプレート８の大きさも任意に設定することができる。ドアプレート集合体１を構成するドアプレート８は、厚紙等の紙以外にも、樹脂フィルムを用いても構わない。その場合、水性マーカー等で記入部５へ自由に記入をした後に、拭き取ることで容易に消去することができる。
【符号の説明】
【００５５】
１…ドアプレート集合体  ２…引掛け部  ３…破断部  ４…破断誘導部  ５…記入部  ６…テンプレート部  ７…分割部  ８、８ａ、８ｂ、８ｃ、８ｄ、８ｅ、８ｆ、８ｇ、８ｈ、８ｉ…ドアプレート  ９…背貼り部  １０…切り欠き部  １０１…ドア  １０２…ドアノブ
【図１】
0003208177.tif 000003
【図２】
0003208177.tif 000004
【図３】
0003208177.tif 000005
【図４】
0003208177.tif 000006
【図５】
0003208177.tif 000007
【図６】
0003208177.tif 000008
【図７】
0003208177.tif 000009
【図８】
0003208177.tif 000010
【図９】
0003208177.tif 000011
【図１０】
0003208177.tif 000012
【図１１】
0003208177.tif 000013
【図１２】
0003208177.tif 000014
【図１３】
0003208177.tif 000015
【図１４】
0003208177.tif 000016